(57)【要約】【課題】  両面発光型の表示手段において、素子構造が耐熱性の低いものであったとしても、両表示面での安定した表示が可能で、かつ寿命特性の良好な表示装置を提供する。【解決手段】  放熱体４２を、表示面５２側の各画素４７間に対応する領域に配置し、各有機ＥＬ素子４０から発生した熱を放出する。両面発光型の有機ＥＬパネル４１において、両表示面５１，５２での映像の表示を妨げることなく、有機ＥＬパネル４１からの放熱をすることができる。よって、良好な映像表示を保ちつつ、有機ＥＬ素子４０の温度上昇を抑制することができる。【選択図】  図３
2006259307.tif 000002
【特許請求の範囲】
【請求項１】
互いに対向する第１および第２の表示面を有すると共に各画素を構成する複数の発光素子を含んだ表示パネルと、
前記第１および第２の表示面のうちの少なくとも一方の面側において前記画素間に対応する領域に配置され、前記発光素子から発生した熱を放出する放熱体と
を備えたことを特徴とする表示装置。
【請求項２】
前記複数の発光素子はそれぞれ、前記第１および第２の表示面の双方の面側に光を出射するようになされ、
前記第１および第２の表示面を構成する画素が、前記第１および第２の表示面で共通化されている
ことを特徴とする請求項１に記載の表示装置。
【請求項３】
前記出射光を前記第１の表示面のみに出射する片面表示状態と、前記出射光を前記第１および第２の表示面に出射する両面表示状態とを切り換える切換手段をさらに備え、
前記放熱体は、少なくとも前記第２の表示面側に配置されている
ことを特徴とする請求項２に記載の表示装置。
【請求項４】
前記第２の表示面側の放熱体は、第２の表示面の面内方向へ移動可能であり、
前記切換手段は、前記片面表示状態のときに前記第２の表示面側の放熱体が第２の表示面側の前記画素に対応する領域へ移動するように駆動することにより、前記片面表示状態と前記両面表示状態とを切り換える
ことを特徴とする請求項３に記載の表示装置。
【請求項５】
前記第２の表示面側の放熱体における前記表示パネル側の表面に、光反射機能を有する光反射層をさらに備え、
前記切換手段は、前記片面表示状態のときに、前記光反射層が第２の表示面側への前記出射光を反射して前記第１の表示面側へと導くように、前記第２の表示面側の放熱体および前記光反射層を駆動する
ことを特徴とする請求項４に記載の表示装置。
【請求項６】
前記第２の表示面側の放熱体は光反射機能をさらに有し、
前記切換手段は、前記片面表示状態のときに、前記第２の表示面側の放熱体が第２の表示面側への前記出射光を反射して前記第１の表示面側へと導くように、第２の表示面側の放熱体を駆動する
ことを特徴とする請求項４に記載の表示装置。
【請求項７】
前記第２の表示面側の放熱体は、第２の表示面と直交する方向へ複数段に分割して設けられ、
前記切換手段は、これら複数段からなる放熱体をそれぞれ独立して駆動する
ことを特徴とする請求項４に記載の表示装置。
【請求項８】
前記切換手段の動作を制御する制御手段をさらに備えた
ことを特徴とする請求項３に記載の表示装置。
【請求項９】
前記表示パネルの近傍に、前記放熱体と熱的に接続されると共に放熱体によって放出された熱を外部へ発散させる熱発散体をさらに備えた
ことを特徴とする請求項２に記載の表示装置。
【請求項１０】
前記放熱体は、前記第１および第２の表示面側に配置されている
ことを特徴とする請求項２に記載の表示装置。
【請求項１１】
前記発光素子は、有機ＥＬ素子である
ことを特徴とする請求項２に記載の表示装置。
【請求項１２】
各画素は前記表示パネルにおいてマトリクス状に配置され、
前記放熱体は、各画素の配置に対応した格子状に配置されている
ことを特徴とする請求項１１に記載の表示装置。
【請求項１３】
各画素は前記表示パネルにおいてマトリクス状に配置され、
前記放熱体は、前記表示パネルの水平ライン方向および垂直ライン方向のうちのいずれか一方向のみに沿って配置されている
ことを特徴とする請求項１１に記載の表示装置。
【請求項１４】
各画素は前記表示パネルにおいてマトリクス状に配置され、
前記放熱体は、前記表示パネルの水平ライン方向および垂直ライン方向のうち、前記画素間に対応する領域がより広い方向のみに沿って配置されている
ことを特徴とする請求項１１に記載の表示装置。
【請求項１５】
前記表示パネルは、
前記第２の表示面を構成する透明基板と、
前記透明基板上における前記画素間に対応する領域に形成されたスイッチング素子および配線と、
前記スイッチング素子および配線が接続された複数の前記有機ＥＬ素子と、
各有機ＥＬ素子を分離する隔壁と、
前記複数の有機ＥＬ素子および前記隔壁上に形成され、前記第１の表示面を構成する光透過性の保護層と
を有し、
前記放熱体は、前記保護層の表面側における前記隔壁に対応する領域、ならびに前記透明基板の裏面側における前記スイッチング素子または前記配線に対応する領域うちの少なくとも一方に配置されている
ことを特徴とする請求項１１に記載の表示装置。
【請求項１６】
被写体を撮像する撮像手段と、
前記撮像手段によって撮像された被写体像を表示する表示手段と
を備え、
前記表示手段は、
互いに対向する第１および第２の表示面を有すると共に各画素を構成する複数の発光素子を含んだ表示パネルと、
前記第１および第２の表示面のうちの少なくとも一方の面側において前記画素間に対応する領域に配置され、前記発光素子から発生した熱を放出する放熱体と
を有することを特徴とする撮像装置。
【発明の詳細な説明】
【技術分野】
【０００１】
本発明は、互いに対向する第１および第２の表示面を有する表示装置、およびそのような表示手段を有する撮像装置に関する。
【背景技術】
【０００２】
モニタなどの表示手段を備えたビデオカメラやデジタルスチルカメラなどには一般に、撮像の際に被写体側でも映像の認識を可能とする対面撮影モードが設けられており、表示手段を被写体側へ向けることで実現されている。また、これらの機器における表示手段としては、一般に液晶表示装置が用いられている。
【０００３】
しかしながら、この液晶表示装置は片面発光型の表示装置であることから、このような対面撮影モードの際には、撮影者自身が被写体ではない場合、撮影者が被写体像を認識するための別の表示手段が必要となる。そこで従来は、これらの機器に備えられたビューファインダを点灯させ、撮影者がこれを覗くことによって、被写体像の認識を行っていた。
【０００４】
液晶表示装置以外の他の表示手段としては、有機ＥＬ（ElectroLuminescence）素子を用いた有機ＥＬ表示装置が考えられる。有機ＥＬ素子は陽極と陰極との間に有機層を積層させた発光素子であり、この有機ＥＬ素子を複数配列してなる有機ＥＬ表示装置は、液晶表示装置に代わる次世代フラットパネルディスプレイとして有望視されている。
【０００５】
ここで、この有機ＥＬ表示装置もまた、基本的には片面発光型の表示装置である。この片面発光の方式としては、上面発光（トップエミッション）方式および下面発光（ボトムエミッション）方式が挙げられる。これらの発光方式における素子構造の違いは、陽極と陰極とのいずれを光透過性材料により構成するかという点である。
【０００６】
また、最近ではこれら上面発光方式および下面発行方式を組み合わせた両面発光型のものも開発されている。例えば特許文献１には、不透明カソード電極（陰極）と透明アノード電極（陽極）との間に有機層を積層させた有機ＥＬ素子において、この不透明カソード電極の一部分に透明な導光部を形成するようにした両面発光型の有機ＥＬ表示装置が開示されている。
【０００７】
このような両面発光型の有機ＥＬ表示装置を用いれば、被写体側および撮影者側に対して同時に被写体像を表示することができ、利便よく対面撮影モードを実現することが可能となる。また、各画素が両表示面で共通化されている構成であることから、特に画像処理などを行わずとも、被写体側にとって認識しやすい左右反転した映像が被写体側に表示されるという利点がある。
【特許文献１】特開２００１−３３２３９２号公報
【発明の開示】
【発明が解決しようとする課題】
【０００８】
ところで、この有機ＥＬ素子は電流駆動による発光素子であることから、電圧駆動による表示素子である液晶素子と比べて消費電流が多くなり、発光領域での発熱が大きくなる。そして有機ＥＬ素子では、この発熱に起因した温度上昇によって、素子を構成する有機層の劣化が加速してしまう。そのため、各有機ＥＬ素子の発光輝度が低下したり、部分的に輝度差が生じて表示にむらが発生したり、発光が不安定になるなど、経時的な安定性が低く、かつ寿命が短いという問題があった。
【０００９】
そこで、このような有機ＥＬ素子を備えた有機ＥＬ表示装置では、放熱を十分に考慮し、各有機ＥＬ素子における温度上昇を防止する必要が生じる。従来より、片面発光型の有機ＥＬ表示装置においては、表示面とは反対側に、このような温度上昇を抑える放熱機構を配置することで対応していた。
【００１０】
しかしながら、両面発光型の有機ＥＬ表示装置は、互いに対向する２つの表示面を有する構造であることから、一方の表示面での映像表示を妨げることなく、そのような位置に放熱機構を配置することはできない。そこで従来は素子の温度上昇対策として、直接の外気冷却を施すしかなく、両表示面での良好な表示を保ちつつ十分な放熱対策をとることはできなかった。
【００１１】
一方、有機ＥＬ素子は発光効率が十分ではないことなどから、液晶素子と比べて消費電力が大きくなってしまうという問題もあった。そこで従来より片面発光型の有機ＥＬ表示装置では、表示面とは反対側に反射体を配置して発光効率を高め、輝度を向上させることで、消費電力を抑えるようにしていた。しかしながら両面発光型の有機ＥＬ表示装置では、やはりその構造に起因して、そのような位置に反射体を配置することはできない。したがって発光効率が低下し、輝度も低下もしまうことから、表示映像の視認性を確保するためには、有機ＥＬ素子に流す電流を片面発光型のものよりも増加させるなどして、輝度を向上させる必要が生じる。
【００１２】
ところが、そのようにして有機ＥＬ素子に流す電流を増加させた場合、上記したような発熱に起因した素子の劣化をより増長させてしまうこととなる。したがって、両面発光型の有機ＥＬ表示装置では、片面発光型のものと比べてより一層の放熱対策をとる必要があった。
【００１３】
このように、両表示面での良好な表示を保ちつつ十分な放熱対策をとることができない従来の両面発光型の有機ＥＬ表示装置では、安定した表示が可能でかつ寿命特性の良好な表示装置を得るのが困難であった。
【００１４】
この対策として、素子自体の構造を温度上昇に耐えうるものとすることが考えられる。しかしながら、現状は発光効率が高くかつ耐熱性が高い素材がないことから、その場合、開発には相当な期間およびコストがかかるなどの問題がある。
【００１５】
本発明はかかる問題点に鑑みてなされたもので、その目的は、両面発光型の表示手段において、素子構造が耐熱性の低いものであったとしても、両表示面での安定した表示が可能で、かつ寿命特性の良好な表示装置およびそのような表示手段を備えた撮像装置を提供することにある。
【課題を解決するための手段】
【００１６】
本発明の表示装置は、互いに対向する第１および第２の表示面を有すると共に各画素を構成する複数の発光素子を含んだ表示パネルと、これら第１および第２の表示面のうちの少なくとも一方の面側において上記画素間に対応する領域に配置され、発光素子から発生した熱を放出する放熱体とを備えたものである。
【００１７】
本発明の撮像装置は、被写体を撮像する撮像手段と、この撮像手段によって撮像された被写体像を表示する表示手段とを備え、この表示手段が、互いに対向する第１および第２の表示面を有すると共に各画素を構成する複数の発光素子を含んだ表示パネルと、これら第１および第２の表示面のうちの少なくとも一方の面側において上記画素間に対応する領域に配置され、発光素子から発生した熱を放出する放熱体とを有するものである。
【００１８】
本発明の表示装置および撮像装置では、各発光素子からの出射光に基づく映像が、第１および第２の表示面において表示される。また、これら表示面のうちの少なくとも一方の面側に放熱体が配置されていることで、各発光素子から発生した熱が放出される。この放熱体はまた、各発光素子がなす画素間に対応する領域に配置されていることから、各発光素子からの出射光は、放熱体に遮られることなく出射される。すなわち、両表示面における映像の表示がいずれも妨げられることなく、表示パネルからの放熱がなされる。
【発明の効果】
【００１９】
本発明の表示装置または撮像装置によれば、放熱体を画素間に対応する領域に配置し、各発光素子から発生した熱を放出するようにしたので、両表示面における映像の表示をいずれも妨げることなく表示パネルからの放熱をすることができ、良好な映像表示を保ちつつ発光素子の温度上昇を抑制することができる。よって、発熱による温度上昇に起因した発光素子の劣化を防止し、信頼性を向上させることができるので、両表示面での安定した表示が可能で、かつ寿命特性の良好な表示手段を得ることができる。
【発明を実施するための最良の形態】
【００２０】
以下、本発明の実施の形態について、図面を参照して詳細に説明する。
【００２１】
［第１の実施の形態］
図１は、本発明の第１の実施の形態に係る撮像装置（ビデオカメラ１）による被写体８の撮影状況を表すものであり、撮像の際に被写体８側でも映像の認識を可能とする対面撮影モードを用いて、表示部４の表示面５１に被写体像Ｐ１を表示している状況を表している。また、図２（Ａ），（Ｂ）は、図１において、被写体８側から見た（図１，２に示した矢印Ｘの視線方向での）ビデオカメラ１の状況を表したものである。
【００２２】
このビデオカメラ１は、本体２に、被写体８を撮像するレンズ部３と、矢印Ｙで示した方向に開閉可能な表示部４と、被写体像を観察可能なビューファインダ６と、バッテリーパック７とを備えている。ここで、レンズ部３は本発明における「撮像手段」の一具体例に対応し、表示部４は本発明における「表示装置」および「表示手段」の一具体例に対応する。
【００２３】
表示部４は、その表示面５１に撮像する際の映像（例えば、被写体像Ｐ１）やすでに撮像した映像を表示するものであり、ビデオカメラ１におけるモニタとして機能している。この表示部４は後述するように、複数の有機ＥＬ素子４０がなす画素がマトリクス状に配置されたアクティブマトリクス型の有機ＥＬパネル４１から構成されておいる。
【００２４】
また、この表示部４は、図２（Ａ）に示したように、撮影者側の表示面５１に加え、この表示面５１と対向する被写体８側の表示面５２を有しており、この表示面５２にも映像（例えば、被写体像Ｐ２）が表示されるようになっている。すなわち、この表示部４は、表示面５１および表示面５２の両表示面に映像を表示することが可能な両面発光型のものである。なお、後述するように、この表示部４には、表示部５１，５２に映像を表示する両面表示状態と、表示部５１のみに映像を表示する片面表示状態とがある。
【００２５】
このようにして、撮影者および被写体８は両面表示状態の表示面５１，５２を利用することで、対面撮影モードを用いた撮像ができるようになっている。なお、後述するように、この有機ＥＬ素子４０では、両表示面５１，５２を構成する画素が、これら両表示面５１，５２で共通化された構成であることから、被写体８側の表示面５２には特に画像処理などを行わずとも、認識しやすい左右反転した映像（例えば、被写体像Ｐ１に対して被写体像Ｐ２は左右反転している）が被写体８側に表示されるようになっている。
【００２６】
また、詳細は後述するが、図２（Ｂ）に示したように、このビデオカメラ１には、撮像の際に撮影者側の表示面５１のみに映像を表示する通常撮影モードも設けられている。この通常撮影モードでは、表示面５１のみに映像が表示される（片面表示状態）ようになっている。このように撮影者は撮像の際に、表示面５１，５２に映像が表示される対面撮影モードと、表示面５１のみに映像が表示される通常撮影モードとを任意に選択することができる。
【００２７】
また、このビデオカメラ１は、撮像した映像を図示しない記憶手段に記憶可能となっている。この記憶手段としては、例えば、ビデオカメラ１に内蔵の記憶媒体（半導体メモリ等）や、着脱可能な記憶媒体（半導体メモリカード、記録可能なＤＶＤ（Digital Versatile Disc）や記憶可能なＣＤ（Compact Disc）などの光ディスク媒体等）が挙げられる。そしてこのビデオカメラ１は、上記記憶手段に記憶した撮影映像を再生し、表示部４に表示することが可能となっている。なお、再生する映像は撮影者自身で撮影したものに限らず、別の手段で記憶された映像であってもよい。また、図示しない有線もしくは無線インタフェース（ＵＳＢ（Universal Serial Bus）、無線ＬＡＮ（Local Area Network）等）を介して外部の記憶手段（ＰＣ（Personal Computer）等）に記憶した撮影映像を再生し、表示部４に表示することも可能である。
【００２８】
なお、表示面５１，５２はそれぞれ、本発明における「第１の表示面」および「第２の表示面」の一具体例に対応する。
【００２９】
図３は、表示部４の断面構成を模式的に表したものであり、図１におけるＡ−Ａ部分の矢視断面図に対応するものである。この表示部４は、有機ＥＬパネル４１と、この有機ＥＬパネル４１の裏面に設けられた複数の放熱体４２と、この放熱体４２を覆うように設けられた熱伝導シート４３と、有機ＥＬパネル４１の両端にそれぞれ設けられた熱発散体４４Ａ，４４Ｂとを有している。
【００３０】
有機ＥＬパネル４１は上記のように両面発光型のものであり、上面出射光Ｌ１および下面出射光Ｌ２がそれぞれ、表示領域Ｄにおいて表示面５１，５２から出射されるようになっている。この有機ＥＬパネル４は、本発明における「表示パネル」の一具体例に対応する。また、放熱体４２は、各有機ＥＬ素子から発生した熱を放出するものであり、有機ＥＬパネル４１の各画素間に対応する領域に設けられている。熱伝導シート４３は、この放熱体４２から放出された熱を熱発散体４４Ａ，４４Ｂへ伝導するものである。なお、放熱体４２および熱伝導シート４３についての詳細は後述する。
【００３１】
熱発散体４４Ａ，４４Ｂはそれぞれ、熱伝導シート４３を介して放熱体４２と熱的に接続されており、この放熱体４２から伝導された熱を、有機ＥＬパネル４１の外部へ発散するものである。この熱発散体４４Ａ，４４Ｂは、例えば、熱伝導性に優れた金属や樹脂などにより構成される。
【００３２】
次に図４を参照して、有機ＥＬパネル４１、放熱体４２および熱伝導シート４３の断面構成の詳細について説明する。図４は、これらの断面構成の一例を表したものである。
【００３３】
有機ＥＬパネル４１は、ガラス基板４０１上に多層膜が形成された積層構造となっている。この多層膜は具体的には、ガラス基板４０１側から、ゲート電極４０２と、ゲート絶縁層４０３と、ｐ−Ｓｉ（ポリ−シリコン）層４０４と、絶縁層４０５と、配線４０６と、ソース（ドレイン）電極４０７と、平坦化層４０８と、コンタクト部４０９と、アノード電極４１０と、有機材料からなる発光層４１１と、カソード電極４１２と、隔壁４１３と、保護層４１４と、透明シール４１５とから構成されている。ここで、ガラス基板４０１は本発明における「透明基板」の一具体例に対応し、保護層４１４および透明シール４１５は、本発明における「保護層」の一具体例に対応する。
【００３４】
なお、これらのうち、アノード電極４１０と、発光層４１１と、カソード電極４１２とにより、有機ＥＬ素子４０が構成されている。この有機ＥＬ素子４０は、本発明における「発光素子」の一具体例に対応する。
【００３５】
ガラス基板４０１は、上記のような多層膜を積層するための基板である。ただし、有機ＥＬ素子４０からの下面出射光Ｌ２を透過させることができるものであれば、例えば光透過性のプラスチック基板などにより構成してもよい。
【００３６】
ゲート電極４０２、ゲート絶縁層４０３、ｐ−Ｓｉ層４０４、絶縁層４０５、配線層４０６およびソース（ドレイン）電極４０７は、各有機ＥＬ素子４０を発光駆動するためのスイッチング素子Ｓを構成している。このスイッチング素子Ｓは、例えば薄膜トランジスタ（ＴＦＴ；Thin Film Transistor）などから構成される。また、配線４０６は、例えば各有機ＥＬ素子４０を駆動するための信号線やデータ線などから構成され、図示しない有機ＥＬパネル４１の駆動回路に接続されている。これらスイッチング素子Ｓおよび配線４０６は、いずれも各画素間に対応する領域に配置されており、コンタクト部４０９を介して、各有機ＥＬ素子４０のアノード電極４１０と電気的に接続されている。
【００３７】
平坦化層４０８は、例えば酸化シリコン（ＳｉＯ2）などの絶縁性材料により構成されており、上記したスイッチング素子Ｓや配線４０６の上部を覆い、平坦化するためのものである。また、アノード電極４１０およびカソード電極４１２は、それぞれ有機ＥＬ素子４０における陽極および陰極として機能するものである。アノード電極４１０は、上記のようにコンタクト部４０９を介してスイッチング素子Ｓや配線４０６と電気的に接続されている一方、カソード電極４１２は、各画素に対する共通電極として機能している。なお、この有機ＥＬパネル４１は上記のように両面発光型のものであることから、アノード電極４１０およびカソード電極４１２はいずれも、例えばＩＴＯ（Indium Tin Oxide；酸化インジウムスズ）などの透明材料、または半透明材料により構成される。
【００３８】
発光層４１１は、有機材料からなる層を堆積させたものであり、上記のように陽極（アノード電極４１０）および陰極（カソード電極４１２）によって挟持された構造となっている。そして、これら陽極と陰極との間に順方向バイアス電圧を印加することにより、陽極および陰極から正孔および電子がそれぞれ発光層内に注入され、この注入された正負のキャリア再結合によって発光が得られる（例えば、図中の上面出射光Ｌ１および下面出射光Ｌ２）ようになっている。
【００３９】
隔壁４１３は、各画素を分離するためのものであり、例えば酸化シリコン（ＳｉＯ2）などの絶縁性材料により構成される。また、保護層４１４および透明シール４１５は、有機ＥＬパネル４１の表面を保護すると共に、各有機ＥＬ素子を外部から封止し、水分の混入を防止するためのものである。なお、保護層４１４は例えば酸化シリコン（ＳｉＯ2）などの絶縁性材料により構成され、透明シール４１５は透明材料により構成される。
【００４０】
ここで本実施の形態の表示部４では、前述のようにガラス基板４０１の裏面、すなわち表示面５２側に、放熱体４２および熱伝導シート４３が設けられており、各有機ＥＬ素子４０から発生した熱を放出できるようになっている。なお、この熱伝導シート４３は、放熱体４２上を平坦化する役割も果たしている。
【００４１】
図５は、放熱体４２と有機ＥＬ素子４０が配置された各画素４７との位置関係を、有機ＥＬパネル４１における表示面５２側からの平面図で模式的に表したものである。このように放熱体４２は、表示面５２側において、各画素４７の間に対応する領域に配置されている。また、各画素４７がマトリクス状に配置されていることから、放熱体４２は各画素４７の配置に対応して格子状に配置されている。したがって、図４に示したような両面表示（上面出射光Ｌ１および下面出射光Ｌ２が出射されている）状態のときでも、表示面５２側への出射光（下面出射光Ｌ２）が妨げられることはない。なお、この表示面５２側における各画素間４７に対応する領域とは、例えば図４に示した断面構成の場合、ガラス基板４０１の裏面におけるスイッチング素子Ｓまたは配線４０６に対応する領域となる。
【００４２】
放熱体４２は、熱伝導性に優れた金属や樹脂、またはこれらの組み合わせなどにより構成され、各有機ＥＬ素子４０から発生した熱を効率よく放出できるようになっている。このような金属材料としては、例えばＡｌ（アルミニウム）やＡｌ合金、Ｃｕ（銅）などが挙げられ、このような樹脂材料としては、例えばグラファイトなどが挙げられる。
【００４３】
また、図４に示したように、この放熱体４２における有機ＥＬパネル４１側の表面には、光反射機能を有する光反射層４５が形成されている。この光反射層４５は、反射率の高い金属や樹脂、またはこれらの組み合わせなどにより構成され、後述するように片面表示状態のとき、各有機ＥＬ素子４０からの下面出射光Ｌ２を効率的に反射できるようになっている。このような金属材料としては、例えばＡｌ（アルミニウム）やＡｌ合金、Ｃｕ（銅）などが挙げられる。また、この光反射層４５を構成する材料は、無彩色のものであることが好ましい。上記のように下面出射光Ｌ２を反射する際に、反射光が有色のものとなるのを防ぐことができるからである。
【００４４】
これら放熱体４２および光反射層４５の組み合わせの具体例としては、以下の（Ａ）〜（Ｄ）のものが挙げられる。
（Ａ）Ｃｕなどの熱伝導性に優れた金属（放熱体４２）と、ＡｌもしくはＡｌ合金などの反射色が可能な限り無彩色であり熱伝導性に優れた金属（光反射層４５）との組み合わせ
（Ｂ）Ｃｕなどの熱伝導性に優れた金属（放熱体４２）と、反射色が可能な限り無彩色であり熱伝導性に優れた樹脂材料（光反射層４５）との組み合わせ
（Ｃ）熱伝導性に優れた樹脂材料（放熱体４２）と、反射色が可能な限り無彩色であり熱伝導性に優れた樹脂材料（光反射層４５）との組み合わせ
（Ｄ）熱伝導性に優れた樹脂材料（放熱体４２）と、ＡｌもしくはＡｌ合金などの反射色が可能な限り無彩色であり熱伝導性に優れた金属（光反射層４５）との組み合わせ
【００４５】
なお、これら放熱体４２および光反射層４５は、例えば張り合わせやめっき、コーティングなどにより形成することができる。また、このような光反射層４５を放熱体４２上に形成する代わりに、放熱体４２自身が光反射機能を有するように構成してもよい。
【００４６】
一方、熱伝導シート４３は、例えば空気やシリコンオイル、樹脂などにより構成され、放熱体４２から放出された熱を効率よく熱発散体４４Ａ，４４Ｂへ伝導すると共に、後述する放熱体４２のスライド移動に対して、滑らかに変形できるようになっている。
【００４７】
また、図４に示したように、有機ＥＬパネル４１の表示面５２側にはさらに、熱伝導シート４３上に、表面保護シート４６が設けられている。この表面保護シート４６は、放熱体４２および熱伝導シート４３を外部から保護するためのものである。なお、この表面保護シート４６を、例えば特定の方向に偏光した光のみを透過する偏光板により構成するようにしてもよい。そのように構成した場合、後述するように片面表示状態のとき、下面出射光Ｌ２が表示面５２側へ漏れるのをより十分に防止することができる。
【００４８】
なお、これら熱伝導シート４３および表面保護シート４６は下面出射光Ｌ２を透過するものであることから、これらを構成する材料は上記の光反射層４５と同様に、無彩色のものであることが好ましい。
【００４９】
ここで図６に示したように、この放熱体４２は、その延在面方向（表示面５２の面内方向）へスライドできるように構成されている。そして後述する切換部４８によって、例えば有機ＥＬパネル４１を両面表示（上面出射光Ｌ１および下面出射光Ｌ２が出射される）状態に設定するときには、放熱体４２がスライド収納されて各画素４７の間に対応する領域に配置（図４，図５の配置）される一方、有機ＥＬパネル４１を片面表示（上面出射光Ｌ１のみが出射される）状態に設定する場合には、放熱体４２がスライド展開されて各画素４７に対応する領域に配置（図６の配置）されるようになっている。このようにして、有機ＥＬパネル４１の両面表示状態と片面表示状態とが切り換えられる。なお、片面表示状態の際に上面出射光Ｌ１のみが出射されるように設定しているのは、図４および図６に示したように、表示面５２側にはスイッチング素子Ｓや配線４０６などが配置されていることから、表示面５１側のほうが表示面５２側よりも開口率を大きくすることができるからである。また、対面撮影モードの方が使用頻度が低いので、通常撮影モードで使用する表示面側の輝度を向上させることができるからである。
【００５０】
また、上記のように、放熱体４２における有機ＥＬパネル４１側の表面に光反射層４５が形成されていることで、図６に示したように片面表示状態のときには、下面出射光Ｌ２が光反射層４５で反射され、表示面５１側へ出射される。したがって、各有機ＥＬ素子４０からの上面出射光Ｌ１および下面出射光Ｌ２がいずれも表示面５１側へ出射され、発光効率が向上する。
【００５１】
また、図７（Ａ），（Ｂ）に示したように、本実施の形態のビデオカメラ１では、この放熱体４２に対するスライド駆動を、例えばビデオカメラ１内または表示部４内に設けられたマイコン２２などによって制御するように構成してもよい。ここで図７（Ａ），（Ｂ）は、表示部５２側から見た有機ＥＬパネル４１を模式的に表したものであり、（Ａ）は有機ＥＬパネル４１が両面表示状態である場合を、（Ｂ）は有機ＥＬパネル４１が片面表示状態である場合をそれぞれ示している。
【００５２】
図７の構成では、撮影者が例えば例えばビデオカメラ１に備えられた操作部２１を介して操作すると、マイコン２２によって切換部４８に対する制御がなされ、放熱体４２に対する駆動動作（図７（Ｂ）に示したＺ方向への移動動作）は、マイコン２２からの制御信号２２１によって行われる。このように切換部４８の駆動動作をマイコン２２により制御することで、撮影者は利便よく両面表示状態と片面表示状態との切換を行うことができる。
【００５３】
次に、図８〜図１０および図１１を参照して、このような構成からなるビデオカメラ１において、各モードを決定する処理について説明する。図８〜図１０は、各モード決定処理を表したものであり、図１１は、表示部４における表示状況の一例を表したものである。
【００５４】
このビデオカメラ１は、撮影を行うための撮影モードと、記憶した映像を再生する再生モードとを有している。そしてこのビデオカメラ１では、表示部４の開閉状態と撮影・再生モードの違いとに応じて、表示部４の表示状態（表示モード）が種々変化するようになっている。この表示モードとしては、前述のように両面表示モード（両面表示状態）と、片面表示モード（片面表示状態）とが存在する。したがって、ここでいう撮影モードまたは再生モードを決定する処理とは、有機ＥＬパネル４１の両面表示モードまたは片面表示モードを決定する処理をも意味する。
【００５５】
まず、撮影者は前述の操作部２１などによって、撮影モードおよび再生モードのいずれを使用するかを選択する（図８のステップＳ１１）。撮影モードを選択した場合（ステップＳ１１：“撮影モード”）、次に、具体的にどのような撮影モードを使用するかを選択する撮影モード決定処理を行う（ステップＳ１２）。一方、再生モードを選択した場合（ステップＳ１１：“再生モード”）、次に、具体的にどのような再生モードを使用するかを選択する再生モード決定処理を行う（ステップＳ１３）。
【００５６】
撮影モード決定処理では、まず、撮影者は操作部２１などによって、表示部４を開いた状態で使用するか、あるいは閉じた状態で使用するかを選択する（図９のステップＳ１２１）。閉じた状態で使用することを選択した場合（ステップＳ１２１：Ｎ）、表示部４における映像の表示は、表示面５１，５２ともにオフ状態となる（ステップＳ１２２）。なお、このときは例えばビューファインダ６における被写体像の表示がオン状態となり、撮影者は、表示部４の代わりにこのビューファインダ６を利用することで、被写体像を撮像することとなる。
【００５７】
一方、ステップＳ１２１において、表示部４を開いた状態で使用することを選択した場合（ステップＳ１２１：Ｙ）、表示部４における表示面５１（撮影者側の表示面）での表示がオン状態となる（ステップＳ１２３）。なお、このときは、例えばビューファインダ６における被写体像の表示はオフ状態となる。次に、撮影者は操作部２１などによって、放熱体４２をスライド移動させるか否かを選択する（ステップＳ１２４）。スライド移動させないことを選択した場合（ステップＳ１２４：Ｎ）、放熱体４２は各画素４７に対応する領域に配置されたままとなることから、表示部４もそのまま表示面５１のみの片面表示モードとなり、ビデオカメラ１は通常撮影モードとなる（ステップＳ１２５）。なお、このように放熱体４２をスライド駆動する手法としては、前述のようにマイコン２２による制御によるものでもよく、あるいは撮影者による手動によるものであってもよい。
【００５８】
一方、ステップＳ１２４において、放熱体４２をスライド移動させることを選択した場合（ステップＳ１２４：Ｙ）、切換部４８が、放熱体４２を各画素４７間に対応する領域へ移動させる（ステップＳ１２６）。したがって、表示部４は表示面５１，５２に映像が表示される両面表示モードとなり、ビデオカメラ１は、対面撮影モードとなる（ステップＳ１２７）。なお、この対面撮影モードのときには、前述のように特に画像処理を行わずとも、被写体８側の表示面５２には、左右反転した映像が表示されることとなる。このようにして、撮影モード時における具体的なモード決定処理（両面表示モードまたは片面表示モードの決定処理）がなされ、モード決定処理全体が終了する。
【００５９】
一方、再生モード決定処理でも、まず、撮影者が操作部２１などによって、表示部４を開いた状態で使用するか、あるいは閉じた状態で使用するかを選択する（図１０のステップＳ１３１）。開いた状態で使用することを選択した場合（ステップＳ１３１：Ｙ）、前述の撮影モード決定処理の場合と同様に、表示面５１での表示がオン状態となる（ステップＳ１３２）。なおこのときも、例えばビューファインダ６における被写体像の表示はオフ状態となる。次に、撮影者は放熱体４２をスライド移動させるか否かを選択し（ステップＳ１３３）、スライド移動させないことを選択した場合（ステップＳ１３３：Ｎ）には、前述のように表示面５１のみの片面表示モードとなり、ビデオカメラ１は通常再生モードＡとなる（ステップＳ１３４）。一方、放熱体４２をスライド移動させることを選択した場合（ステップＳ１３３：Ｙ）には、前述のように切換部４８が放熱体４２を移動させる（ステップＳ１３５）ことで、表示面５１，５２に映像が表示される両面表示モードとなり、ビデオカメラ１は対面再生モードとなる（ステップＳ１３６）。
【００６０】
一方、ステップＳ１３１において、表示部４を閉じた状態で使用することを選択した場合（ステップＳ１３１：Ｎ）、次に、撮影者はやはり放熱体４２をスライド移動させるか否かを選択する（ステップＳ１３７）。スライド移動させることを選択した場合（ステップＳ１３７：Ｙ）、表示面５２での表示がオン状態となり（ステップＳ１３８）、前述のように切換部４８が放熱体４２を移動させることで（ステップＳ１３９）、例えば図１１（Ａ）に示したような通常再生モードＢとなる（ステップＳ１４０）。なお、このときは表示面５１，５２に映像が表示される両面表示モードであり、図示しない表示面５１側にも映像が表示されている。また、この通常再生モードＢのときには、前述の対面撮影モードのときとは異なり、表示面５２には画像処理によって左右反転した映像（すなわち、元の状態の映像）が表示される。一方、ステップＳ１３７において、放熱体４２をスライド移動させないことを選択した場合（ステップＳ１３７：Ｎ）には、例えば図１１（Ｂ）に示したように、表示部４における映像の表示は、表示面５１，５２ともにオフ状態となる（ステップＳ１４１）。なお、このときも、例えばビューファインダ６における映像の表示がオン状態となる。このようにして、再生モード時における具体的なモード決定処理（両面表示モードまたは片面表示モードの決定処理）がなされ、モード決定処理全体が終了する。
【００６１】
以上のように、本実施の形態によれば、放熱体４２を表示面５２側の各画素４７間に対応する領域に配置し、各有機ＥＬ素子４０から発生した熱を放出するようにしたので、両面発光型の有機ＥＬパネル４１においても、両表示面５１，５２における映像の表示をいずれも妨げることなく有機ＥＬパネル４１からの放熱をすることができ、良好な映像表示を保ちつつ有機ＥＬ素子４０の温度上昇を抑制することができる。よって、発熱による温度上昇に起因した有機ＥＬ素子４０の劣化を防止し、信頼性を向上させることができるので、両表示面５１，５２での安定した表示が可能で、かつ寿命特性の良好な表示手段（表示部４）を得ることができる。
【００６２】
また、各放熱体４２から放出された熱を、熱伝導シート４３を介して熱発散体４４Ａ，４４Ｂにより外部へ発散させるようにしたので、有機ＥＬパネル４全体での発熱を抑制することができる。よって、有機ＥＬパネル４１の表示領域Ｄにおける部分的な発熱の不均衡状態を抑えることができ、表示映像にむらが発生するのを抑制することができる。
【００６３】
また、切換部４８によって、放熱体４２をスライド移動させるようにしたので、両面発光型の有機ＥＬパネル４１において片面表示状態を構成することができ、表示面５２側への下面出射光Ｌ２の漏れを防止することができる。また、例えば表面保護シート４６を偏光板により構成した場合には、この下面出射光Ｌ２の漏れを完全に防止することができる。
【００６４】
また、放熱体４２における有機ＥＬパネル４１側の表面に光反射層４５を形成するように（あるいは、放熱体４２自身が光反射機能を有するように）したので、片面表示状態のときに下面出射光Ｌ２を反射して表示面５１側へ出射させることができ、発光効率を向上させることができる。よって、発光輝度を高めることができることから、より低い電流でも発光輝度を確保することができ、消費電力を低減することができる。また、有機ＥＬ素子４０へ流す電流を低減することができることから、素子の劣化をさらに抑えることができ、より長寿命化を図ることができる。
【００６５】
さらに、これら放熱体４２、熱伝導シート４３および熱発散体４４Ａ，４４Ｂから構成される放熱機構は、いずれも有機ＥＬパネル４１の外部に配置することができるので、従来の有機ＥＬパネルに対しても、簡易に形成することができる。
【００６６】
［第２の実施の形態］
次に、本発明の第２の実施の形態について説明する。本実施の形態の撮像装置（ビデオカメラ１）は、基本的には第１の実施の形態のビデオカメラ１と同様であり、第１の実施の形態と異なるのは、有機ＥＬパネル４１における放熱体４２の構成である。したがって、ビデオカメラ１の全体構成（第１の実施の形態における図１に対応する）および表示部４の全体構成（第１の実施の形態における図３に対応する）については、その説明を省略する。
【００６７】
図１２は、本実施の形態に係る有機ＥＬパネル４１、放熱体および熱伝導シート４３の断面構成を表すものであり、第１の実施の形態における図４に対応する。なお、この図において、図４に示した第１の実施の形態における構成要素と同一のものには同一の符号を付し、適宜説明を省略する。
【００６８】
本実施の形態の放熱体は、第１の実施の形態における放熱体４２を複数段構造としたものであり、具体的には２段構成（放熱体４２Ａ，４２Ｂ）となっている。また、これら放熱体４２Ａ，４２Ｂにおける有機ＥＬパネル４１側の表面にはそれぞれ、第１の実施の形態における放熱体４２と同様に、光反射層４５Ａ，４５Ｂが形成されている。さらに、第１の実施の形態と同様に、例えば図１３に示したように、切換部４８によって、これら放熱体４２Ａ，４２Ｂ（および光反射層４５Ａ，４５Ｂ）を、その延在面方向にそれぞれ独立してスライド駆動することができるようになっている。
【００６９】
この表示部４では、放熱体４２Ａ，４２Ｂが切換部４８によってそれぞれ独立してスライド駆動され、各画素４７に対応する領域に配置されることで、有機ＥＬパネル４１が片面表示状態となる。このとき、放熱体が２段構造となっていることから、第１の実施の形態における１段構成の場合と比べ、放熱体４２Ａ，４２Ｂが下面出射光Ｌ２を遮る領域の面積が大きくなる。また、逆に１段構成のときと同程度の面積となるようにした場合には、各画素４７間の領域が狭くなる。
【００７０】
以上のように、本実施の形態によれば、放熱体を２段構成（放熱体４２Ａ，４２Ｂ）にしたので、片面表示状態のときに下面出射光Ｌ２を遮る領域の面積を大きくすることができ、第１の実施の形態における効果に加え、表示面５２側への下面出射光Ｌ２の漏れをより防止することができる。
【００７１】
また、逆にこの放熱体４２Ａ，４２Ｂによって下面出射光Ｌ２を遮る領域の面積を、１段構成のときと同程度の面積となるようにした場合には、各画素４７間の領域を狭く構成することができ、有機ＥＬパネル４１の開口率を高めることが可能となる。よって、表示部４の発光輝度を向上させることが可能となる。
【００７２】
なお、図１２，図１３に示した例では、この放熱体を２段構成としているが、この放熱体の構成はこれには限られず、例えば３段以上の任意の構成とすることが可能である。
【００７３】
以上、第１および第２の実施の形態を挙げて本発明を説明したが、本発明はこれらの実施の形態に限定されるものではなく、種々の変形が可能である。
【００７４】
例えば、上記実施の形態では、例えば図５に示したように、各有機ＥＬ素子４０が構成する画素４７がマトリクス状に配置され、放熱体４２もそれに合わせて格子状に配置されている場合の例について説明してきたが、放熱体４２の配置は格子状には限られず、例えば図１４（Ａ）および図１４（Ｂ）にそれぞれ示したように、各画素４７間の垂直ライン方向または水平ライン方向のいずれか一方のみに沿って配置するように構成してもよい。
【００７５】
またこの際、これら垂直ライン方向および水平ライン方向のうち、各画素４７間に対応する領域がより広い方向のみに沿って配置することが好ましい。そのように配置した場合、より狭い方向のみに沿って配置した場合と比べ、放熱する効果をより高めることができる。なお、同様の理由から、例えば図１４（Ｃ）に示したように、放熱体４２を格子状に配置した場合、各画素４７間に対応する領域がより広い方向（この場合、水平ライン方向）に沿った部分の幅を、より狭い方向（この場合、垂直ライン方向）に沿った部分の幅よりも広くするように構成することが好ましい。
【００７６】
また、上記実施の形態では、放熱体４２を有機ＥＬパネル４１における表示面５２側に配置した場合の例について説明してきたが、例えば図１５に示したように、放熱体４２に加えてさらに表示面５１側にも放熱体（放熱体４９）を配置するように構成してもよく、また、放熱体４２の代わりに放熱体４９のみを配置するように構成してもよい。表示面５１，５２の両表示面側に放熱体４２，４９を配置するように構成した場合、各有機ＥＬ素子４０における温度上昇をさらに抑制することで素子の劣化もさらに抑え、より長寿命化を図ることができる。なお、表示面５１側における各画素間４７に対応する領域は、例えば図１５に示した断面構成の場合、透明シート４１５の表面における隔壁４１３に対応する領域となる。
【００７７】
また、上記実施の形態では、有機ＥＬパネル４１が片面表示状態のときに上面発光（上面出射光Ｌ１のみを出射する）となる場合の例について説明してきたが、逆に片面表示状態のときに下面発光（下面出射光Ｌ２のみを出射する）となるように構成してもよく、さらに上記のように放熱体を表示面５１，５２の両表示面側に配置した場合には、各撮影モードや再生モードの使用状況などに応じて、上面発光となる場合と下面発光となる場合とを切り換えられるように構成してもよい。
【００７８】
また、上記実施の形態において説明した各構成要素の材料および構成などは限定されるものではなく、他の材料としてもよく、また他の構成としてもよい。
【００７９】
また、上記実施の形態では、ビデオカメラ１、表示部４および有機ＥＬパネル４１の構成を具体的に挙げて説明したが、全ての構成要素または全ての層を備える必要はなく、また、他の構成要素または他の層を備えていてもよい。
【００８０】
さらに、本発明が適用される発光素子は有機ＥＬ素子には限られず、発熱に起因した素子の劣化を簡易に防止することが好ましい発光素子を有する全ての表示装置全般に適用することが可能である。またその場合において、各画素４７が両表示面５１，５２で共通化されているとは限られず、表示面５１，５２でそれぞれ別個に設けるように構成してもよい。
【００８１】
なお、上記実施の形態では、撮像素子としてビデオカメラ１の場合について説明してきたが、本発明は、表示手段を備えた他の撮像装置、例えばデジタルスチルカメラなどに適用することも可能である。
【図面の簡単な説明】
【００８２】
【図１】本発明の第１の実施の形態に係る撮像装置による被写体の撮影状況を表す斜視図である。
【図２】対面撮影モードおよび通常撮影モードを説明するための斜視図である。
【図３】図１に示した表示部の構成を表す断面図である。
【図４】図３に示した有機ＥＬパネルおよび放熱機構の構成を表す断面図である。
【図５】図５に示した有機ＥＬパネルにおける放熱体の配置を説明するための平面図である。
【図６】片面表示状態のときの有機ＥＬパネルおよび放熱機構の構成を表す断面図である。
【図７】マイコン制御による放熱体の駆動方法を説明するための模式図である。
【図８】モード決定処理の全体構成を表す流れ図である。
【図９】図８に示した撮影モード決定処理を表す流れ図である。
【図１０】図８に示した再生モード決定処理を表す流れ図である。
【図１１】再生モードのときの表示状態を説明するための斜視図である。
【図１２】本発明の第２の実施の形態に係る有機ＥＬパネルおよび放熱機構の構成を表す断面図である。
【図１３】図１２において片面表示状態のときの有機ＥＬパネルおよび放熱機構の構成を表す断面図である。
【図１４】変形例に係る放熱体の配置を説明するための平面図である。
【図１５】変形例に係る有機ＥＬパネルおよび放熱機構の構成を表す断面図である。
【符号の説明】
【００８３】
１…ビデオカメラ、２…本体、２１…操作部、２２…マイコン、２２１…制御信号、３…レンズ部、４…表示部、５１，５２…表示面、６…ビューファインダ、７…バッテリーパック、８…被写体、４０…有機ＥＬ素子、４１…有機ＥＬパネル、４２，４２Ａ，４２Ｂ，４９…放熱体、４３…熱伝導シート、４４Ａ，４４Ｂ…熱発散体、４５，４５Ａ，４５Ｂ…光反射層、４６…表面保護シート、４７…画素、４８…切換部、４０１…ガラス基板、４０２…ゲート電極、４０３…ゲート絶縁層、４０４…ｐ−Ｓｉ層、４０５…絶縁層、４０６…配線、４０７…ソース（ドレイン）電極、４０８…平坦化層、４０９…コンタクト部、４１０…アノード電極、４１１…発光層、４１２…カソード電極、４１３…隔壁、４１４…保護層、４１５…透明シール、Ｘ…被写体視線方向、Ｙ…表示部開閉方向、Ｐ１，Ｐ２…被写体像、Ｌ１…上面出射光、Ｌ２…下面出射光、Ｄ…表示領域、Ｓ…スイッチング素子。
【図１】
2006259307.tif 000003
【図２】
2006259307.tif 000004
【図３】
2006259307.tif 000005
【図４】
2006259307.tif 000006
【図５】
2006259307.tif 000007
【図６】
2006259307.tif 000008
【図７】
2006259307.tif 000009
【図８】
2006259307.tif 000010
【図９】
2006259307.tif 000011
【図１０】
2006259307.tif 000012
【図１１】
2006259307.tif 000013
【図１２】
2006259307.tif 000014
【図１３】
2006259307.tif 000015
【図１４】
2006259307.tif 000016
【図１５】
2006259307.tif 000017